(57)【要約】【目的】比較的簡単に，撮像した画像データの秘密状態を保つ。【構成】通常撮像モードが設定されたときには，撮像により得られた画像データは，メモリ・スロット２３に着脱自在に装填されているメモリ・カード２４に記録する。これに対して，シークレット撮像モードが設定されたときに撮像された画像データは，ディジタル・スチル・カメラからは着脱自在ではない内蔵メモリ２２に記憶する。内蔵メモリ２２に記憶された画像データを再生する場合には，パスワードによる認証が行われる。パスワードにより内蔵メモリ２２に記録されている画像データによって表される画像を見る権限があることが確認されると，内蔵メモリ２２に記憶されている画像データが読み取られる。読み取られた画像データによって表される画像が表示装置１５の表示画面上に表示される。【選択図】  図１
2004179709.tif 000002
【特許請求の範囲】
【請求項１】
被写体を撮像し，被写体像を表す画像データを出力する撮像手段，
通常撮像モードまたはシークレット撮像モードを設定するモード設定手段，
ディジタル・カメラに内蔵され，かつ与えられる画像データをシークレット画像データとして記憶する内蔵メモリ，
与えられる画像データを記憶する外部メモリを着脱自在に装填する外部メモリ・スロット，および
上記モード設定手段によってシークレット撮像モードが設定されたことに応答して，上記撮像手段から出力された画像データを上記内蔵メモリに記憶し，上記モード設定手段によって通常撮像モードが設定されたことに応答して，上記撮像手段から出力された画像データを上記外部メモリ・スロットに装填されている画像メモリに記憶する記憶制御手段，
を備えたディジタル・カメラ。
【請求項２】
上記内蔵メモリに記憶されているシークレット画像データのシークレット再生指令を与える再生指令手段，
上記再生指令手段からシークレット画像再生指令が与えられたことに応じて，シークレット画像の再生権限を有するかどうかを判定する第１の判定手段，および
上記第１の判定手段によってシークレット画像の再生権限を有すると判定されたことに応じて，上記内蔵メモリに記憶されているシークレット画像データを再生し，上記判定手段によってシークレット画像の再生権限を有していないと判定されたことに応じて，上記内蔵メモリに記憶されているシークレット画像データの再生を禁止する再生制御手段，
をさらに備えた請求項１に記載のディジタル・カメラ。
【請求項３】
上記判定手段が，
シークレット画像データの再生権限を示すパスワードを記憶するパスワード記憶手段，および
パスワード入力手段を備え，
上記パスワード入力手段から入力されたパスワードが上記パスワード記憶手段に記憶されているパスワードと一致するかどうかにもとづいてシークレット画像の再生権限を有するかどうかを判定するものである，
請求項２に記載のディジタル・カメラ。
【請求項４】
上記内蔵メモリに記憶されているシークレット画像データを，上記外部メモリにコピーするコピー指令を与えるコピー指令手段，
上記コピー指令手段からシークレット画像データのコピー指令が与えられたことに応じて，シークレット画像データのコピー権限を有するかどうかを判定する第２の判定手段，および
上記第２の判定手段によってシークレット画像データのコピー権限を有すると判定されたことに応じて，上記内蔵メモリに記憶されているシークレット画像データを上記外部メモリにコピーし，上記判定手段によって，シークレット画像データのコピー権限を有していないと判定されたことに応じて，上記内蔵メモリに記憶されているシークレット画像データの上記外部メモリのへのコピーを禁止するコピー制御手段，
をさらに備えた請求項１に記載のディジタル・カメラ。
【請求項５】
被写体を撮像し，被写体像を表す画像データを得るディジタル・カメラにおいて，
通常撮像モードまたはシークレット撮像モードを設定可能とし，
シークレット撮像モードが設定されたことに応答して，撮像によって得られた画像データを，シークレット画像データとして，ディジタル・カメラに内蔵されている内蔵メモリに記憶し，
通常撮像モードが設定されたことに応答して，撮像によって得られた画像データを外部メモリ・スロットに着脱自在に装填されている外部メモリに記憶する，
ディジタル・カメラの制御方法。
【発明の詳細な説明】
【０００１】
【技術分野】
この発明は，ディジタル・カメラ（ディジタル・スチル・カメラ，ディジタル・ムービ・カメラ，携帯型情報機器にディジタル・カメラの機能を持たせたものを含む）に関する。
【０００２】
【発明の背景】
ディジタル・カメラを用いて撮像された画像は，再生することによって通常は誰でも見ることができる。画像のプライバシーを守るために，パスワードを入力することにより特定のユーザのみが見ることができるカメラがある（例えば，特許文献１）。
【０００３】
【特許文献１】
特開平８−３１５１０６号公報
【０００４】
しかしながら，秘密にしたい画像データがカメラから着脱自在なメモリ・カードなどに記録されると，メモリ・カードをカメラから取り外し，パーソナル・コンピュータなどに装填することにより，秘密にしたい画像データがパーソナル・コンピュータに読み取られてしまうことがある。秘密状態を維持できないことがある。
【０００５】
【発明の開示】
この発明は，秘密状態を維持できるようにすることを目的とする。
【０００６】
この発明によるディジタル・カメラは，被写体を撮像し，被写体像を表す画像データを出力する撮像手段，通常撮像モードまたはシークレット撮像モードを設定するモード設定手段，ディジタル・カメラに内蔵され，かつ与えられる画像データをシークレット画像データとして記憶する内蔵メモリ，与えられる画像データを記憶する外部メモリを着脱自在に装填する外部メモリ・スロット，および上記モード設定手段によってシークレット撮像モードが設定されたことに応答して，上記撮像手段から出力された画像データを上記内蔵メモリに記憶し，上記モード設定手段によって通常撮像モードが設定されたことに応答して，上記撮像手段から出力された画像データを上記外部メモリ・スロットに装填されている画像メモリに記憶する記憶制御手段を備えていることを特徴とする。
【０００７】
この発明は，上記ディジタル・カメラに適した制御方法も提供している。すなわち，この方法は，被写体を撮像し，被写体像を表す画像データを得るディジタル・カメラにおいて，通常撮像モードまたはシークレット撮像モードを設定可能とし，シークレット撮像モードが設定されたことに応答して，撮像によって得られた画像データを，シークレット画像データとして，ディジタル・カメラに内蔵されている内蔵メモリに記憶し，通常撮像モードが設定されたことに応答して，撮像によって得られた画像データを外部メモリ・スロットに着脱自在に装填されている外部メモリに記憶するものである。
【０００８】
この発明によると，シークレット撮像モードが設定されると，撮像によって得られた画像データは，外部メモリに記憶されずに，ディジタル・カメラに内蔵されている内蔵メモリにシークレット画像データとして記録される。内蔵メモリは，ディジタル・カメラから着脱自在ではないので，内蔵メモリを取り出してパーソナル・コンピュータに装填されることにより，シークレット画像データがパーソナル・コンピュータにおいて読み取られるおそれもない。また，内蔵メモリに記録される画像データは，シークレット画像データとして記憶されるので，再生権限のあるユーザが再生することができる。画像データのプライバシーを守ることができる。
【０００９】
通常撮像モードが設定されているときには，撮像によって得られた画像データは，外部メモリ・スロットに着脱自在に装填されている画像メモリに記憶される。画像メモリをディジタル・カメラから取り外し，パーソナル・コンピュータに装填して，画像メモリに記憶されている画像データによって表される画像を見ることができる。
【００１０】
上記内蔵メモリに記憶されているシークレット画像データのシークレット再生指令を与える再生指令手段，上記再生指令手段からシークレット画像再生指令が与えられたことに応じて，シークレット画像の再生権限を有するかどうかを判定する第１の判定手段，および上記第１の判定手段によってシークレット画像の再生権限を有すると判定されたことに応じて，上記内蔵メモリに記憶されているシークレット画像データを再生し，上記判定手段によってシークレット画像の再生権限を有していないと判定されたことに応じて，上記内蔵メモリに記憶されているシークレット画像データの再生を禁止する再生制御手段をさらに備えるようにしてもよい。
【００１１】
シークレット画像の再生権限があるかどうかの判定が行われ，再生権限があると判定された場合に，シークレット画像データを再生することができるようになる。
【００１２】
上記判定手段は，たとえば，シークレット画像データの再生権限を示すパスワードを記憶するパスワード記憶手段，およびパスワード入力手段を備えるものである。この場合，上記パスワード入力手段から入力されたパスワードが上記パスワード記憶手段に記憶されているパスワードと一致するかどうかにもとづいてシークレット画像の再生権限を有するかどうかを判定するものとなろう。
【００１３】
上記内蔵メモリに記憶されているシークレット画像データを，上記外部メモリにコピーするコピー指令を与えるコピー指令手段，上記コピー指令手段からシークレット画像データのコピー指令が与えられたことに応じて，シークレット画像データのコピー権限を有するかどうかを判定する第２の判定手段，および上記第２の判定手段によってシークレット画像データのコピー権限を有すると判定されたことに応じて，上記内蔵メモリに記憶されているシークレット画像データを上記外部メモリにコピーし，上記判定手段によって，シークレット画像データのコピー権限を有していないと判定されたことに応じて，上記内蔵メモリに記憶されているシークレット画像データの上記外部メモリのへのコピーを禁止するコピー制御手段をさらに備えるようにしてもよい。
【００１４】
コピー権限のあるユーザが，内蔵メモリに記憶されているシークレット画像データを外部メモリにコピーすることができる。外部メモリにコピーされたシークレット画像データをパーソナル・コンピュータを用いて再生することができるようになる。
【００１５】
【実施例の説明】
図１は，この発明の実施例を示すもので，ディジタル・スチル・カメラの電気的構成を示すブロック図である。
【００１６】
ディジタル・スチル・カメラの全体の動作は，ＣＰＵ１６によって統括される。
【００１７】
ディジタル・スチル・カメラには，通常撮像モード，シークレット撮像モード，パスワード設定モード，通常再生モード，シークレット再生モード，コピー・モードなどの各種モードを設定するモード・ダイアル２５およびシャッタ・レリーズ・ボタン２６が含まれている。モード・ダイアル２５によって設定されたモードを示す信号およびシャッタ・レリーズ・ボタン２６の押下を示す信号は，ＣＰＵ１６に入力する。
【００１８】
ディジタル・スチル・カメラには，後述するようにパスワードを示すデータその他のデータを記憶するメモリ１９が含まれている。
【００１９】
絞り１は，モータ・ドライバ３によって駆動される絞りモータ２によって絞り値が制御される。モータ・ドライバ３は，ＣＰＵ１６によって制御される。また，ディジタル・スチル・カメラには，ズーム・モータ５によって制御されるズーム・レンズ４も含まれている。ズーム・モータ５は，ＣＰＵ１６によって制御されるモータ・ドライバ６によって駆動される。
【００２０】
通常撮像モードまたはシークレット撮像モードが設定されているときには，絞り１の絞り開口を通過した光線束は，ズーム・レンズ４によって集光する。ＣＣＤ７の受光面上に被写体像が結像することとなる。タイミング・ジェネレータ８によって，ＣＣＤ７が駆動させられることにより，ＣＣＤ７から被写体像を表すアナログ映像信号が出力される。
【００２１】
ＣＣＤ７から出力された映像信号は，ＣＤＳ（相関二重サンプリング）回路９によって相関二重サンプリング処理が行われ，アナログ／ディジタル変換回路１０に入力する。アナログ／ディジタル変換回路１０において，アナログ映像信号がディジタル画像データに変換される。
【００２２】
ディジタル画像データは，画像入力コントローラ１１の制御の下にＡＦ（自動焦点）検出回路１７に入力する。ＡＦ検出回路１７において検出された値にもとづいて，ＣＣＤ７の受光面上に被写体像が結像するようにズーム・レンズ４が制御される。また，ディジタル画像データは，ＡＥ（自動露光）／ＡＷＢ（自動白バランス）検出回路１８に入力する。ＡＥ／ＡＷＢ検出回路１８において，自動露光制御のための輝度データおよび自動白バランス調整のためのＲ画像データ，Ｇ画像データおよびＢ画像データの比率を表すデータが検出される。自動露光制御のための輝度データにもとづいて，適正露光となるように，絞り１の絞り値およびＣＣＤ７のシャッタ速度（いわゆる電子シャッタのシャッタ速度）がそれぞれ制御される。また，自動白バランス調整のためのＲ画像データ，Ｇ画像データおよびＢ画像データの比率を表すデータは，画像信号処理回路１２に与えられる。
【００２３】
ディジタル画像データは，画像信号処理回路１２に与えられ，ＡＥ／ＡＷＢ検出回路１８から与えられたＲＧＢの比率を表すデータにもとづいて白バランス調整が行われ，かつガンマ補正などのその他の所定の信号処理も行われる。
【００２４】
画像信号処理回路１２から出力された画像データは，ビデオ・エンコーダ１４を介して画像表示装置１５に与えられることにより，画像データによって表される画像が画像表示装置１５の表示画面上に表示される。
【００２５】
シャッタ・レリーズ・ボタン２６が押されると，上述のようにして画像信号処理回路１２から出力される画像データは，ＶＲＡＭ（ビデオ・ランダム・アクセス・メモリ）２０に与えられ，一時的に記憶される。画像データは，ＶＲＡＭ２０から読み取られ，圧縮／伸長回路１３においてＪＰＥＧ（ｊｏｉｎｔ  ｐｈｏｔｏｇｒａｐｈｉｃ  ｅｘｐｅｒｔ  ｇｒｏｕｐ）などの圧縮処理が行われる。
【００２６】
通常撮像モードが設定されているときには，圧縮された画像データは，メディア・コントローラ２１によって，メモリ・スロット２３に装填されているメモリ・カード２４に記録される。
【００２７】
シークレット撮像モードが設定されているときには，圧縮された画像データは，シークレット画像データ（読み取るために正当権限の確認が必要なデータ）としてメディア・コントローラ２１によって内蔵メモリ２２に記録される。内蔵メモリ２２は，メモリ・カード２４と異なり，ディジタル・スチル・カメラから着脱自在のものではないのはいうまでもない。
【００２８】
通常再生モードが設定されると，メモリ・カード２４に記録されている圧縮画像データがメディア・コントローラ２１によって読み出される。読み出された圧縮画像データが圧縮／伸長回路１３において伸長される。伸長された画像データがビデオ・エンコーダ１４を介して画像表示装置１５に与えられることにより，画像表示装置１５の表示画面上に表示される。
【００２９】
シークレット再生モードが設定されると，後述するようにパスワードの入力が求められる。パスワードが正しければ，内蔵メモリ２２に記憶されている圧縮画像データが読み取られ，圧縮／伸長回路１３において伸長される。伸長された画像データがビデオ・エンコーダ１４を介して画像表示装置１５に与えられることにより，内蔵メモリ２２に記憶されている画像データによって表される画像が表示される。
【００３０】
コピー・モードが設定されると，シークレット再生モードが設定されたときと同様に，パスワードの入力が求められる。入力されたパスワードが正しければ，内蔵メモリ２２に記憶されている圧縮画像データが読み出され，メモリ・カード２４に記録される。
【００３１】
このように，シークレット撮像モードが設定されたときに撮像によって得られた画像データは内蔵メモリ２２に記憶させられ，通常撮像モードが設定されたときに撮像によって得られた画像データはメモリ・カード２４に記録される。シークレット再生モードが設定されたとき，コピー・モードが設定されたときのように内蔵メモリ２２に記憶された画像データを読み出すときには，内蔵メモリ２２に記憶された画像データによって表される画像を見る権限があるかどうかを確認するためにパスワードによる認証が行われる。正当権限があるユーザのみが内蔵メモリ２２に記憶されている画像データを読み出すことができる。通常再生モードが設定されているときには，パスワード認証が行われることなく，メモリ・カード２４に記録されている画像データが読み出される。
【００３２】
図２は，パスワードを設定する処理手順を示すフローチャートである。図３および図４は，ディジタル・スチル・カメラの背面を示している。
【００３３】
モード・スイッチ２５によりパスワード設定モードが設定されると，ディジタル・スチル・カメラにすでにパスワードが設定されているかどうかが判定される（ステップ３１）。メモリ１９にすでにパスワードを示すデータが記憶されていれば，パスワードが設定されていると判定され，メモリ１９にパスワードを示すデータが記憶されていなければパスワードが未設定と判定される。
【００３４】
パスワードが設定されていないと（ステップ３１でＮＯ），図３に示すパスワード入力画像が画像表示装置１５の表示画面に表示される。
【００３５】
図３を参照して，ディジタル・スチル・カメラの背面には，そのほぼ全体にわたって画像表示装置１５の表示画面４０が形成されている。この表示画面４０の右側には，上矢印，下矢印，左矢印および右矢印が押下可能に形成されている上下左右ボタン４５が設けられている。上下左右ボタン４６の下にはＯＫボタン４６が設けられている。
【００３６】
パスワード入力画像には，その上部にＯＫの文字４１およびＮＧ４２の文字が表示されている。最初は，ＯＫの文字４１の回りにカーソルＣ１が現れている。パスワードを入力するときには，ＯＫボタン４６が押される（ステップ３５でＹＥＳ）。パスワード入力を止めるときには，上下左右ボタン４５の右矢印が押される。すると，カーソルＣ１がＮＧの文字４２を囲む。ＯＫボタン４６が押されることによりパスワード設定処理が終了する（ステップ３５でＮＯ）。
【００３７】
パスワード入力画像には，その下部に，入力されたパスワードが表示されるパスワード表示領域４３が含まれている。パスワード表示領域４３は，５つの区画を含むものであり，５桁の数字を入力することができる。上下左右ボタン４５の上矢印が押されることにより，数字が増加し，上下左右ボタン４５の下矢印が押されることにより数字が減少する。上下左右ボタン４５の右矢印が押されることにより，カーソルＣ２が右の区画に移動し，上下左右ボタン４５の左矢印が押されることにより，カーソルＣ２が左の区画に移動する。パスワード表示領域４３の各区画に表示された数字で良ければＯＫボタン４６が押される。カーソルＣ２で囲まれた区画の数字がパスワードとして決定する（ステップ３６）。
【００３８】
すでにパスワードが設定されているときには（ステップ３１でＹＥＳ），設定されているパスワードを変更することができる。パスワードが設定されているときに，パスワード設定モードが設定されると，表示画面４０には図４に示すように，パスワード変更画像が表示される（ステップ３２）。
【００３９】
パスワード変更画像には，そのほぼ中央部分に「変更する」の文字４７および「変更しない」の文字４８が表示されている。最初は，「変更する」の文字４７がカーソルＣ３によって囲まれている。パスワードを変更する場合に（ステップ３３でＹＥＳ）は，ＯＫボタン４６が押される。すると，表示画面４０には，図３に示すパスワード入力画像が表示される。上述したようにして新たなパスワードが入力される。パスワードを変更しない場合には，上下左右ボタン４５の右矢印が押される。すると，カーソルＣ３が「変更しない」の文字４８を囲むこととなる。ＯＫボタン４６が押されることにより（ステップ３３でＮＯ），パスワード設定処理が終了する。
【００４０】
図５は，記録処理手順を示すフローチャートである。
【００４１】
通常撮像モードが設定されているか，シークレット撮像モードが設定されているかが判定される（ステップ５１）。
【００４２】
通常撮像モードが設定されているときには，被写体を撮像することにより得られた画像データはメモリ・スロット２３に着脱自在に装填されているメモリ・カード２４に記録される（ステップ５２，５３）。
【００４３】
シークレット撮像モードが設定されているときには，被写体を撮像することにより得られた画像データは上述したように内蔵メモリ２２に記録される（ステップ５４，５５）。
【００４４】
図６は，再生処理手順を示すフローチャートである。図７は，ディジタル・スチル・カメラの背面を示している。
【００４５】
通常再生モードが設定されたかシークレット撮像モードが設定されたかどうかが判定される（ステップ６１）。
【００４６】
通常再生モードが設定されていると，メモリ・カード２４に記録されている画像データが読み取られる（ステップ６２）。読み取られた画像データが上述のように，画像表示装置１５に与えられることにり，表示画面４０上に画像が表示される（ステップ６３）。必要に応じて，表示すべき画像の駒番号などが指定されるのはいうまでもない。
【００４７】
シークレット再生モードが設定されていると，図７に示すように表示画面４０にパスワード入力画像が表示される（ステップ６４）。パスワード入力画像には，パスワード表示領域６１が含まれている。上述したパスワード入力処理と同様にして，パスワードが入力される（ステップ６５）。
【００４８】
入力したパスワードが，メモリ１９に記憶されているパスワードと一致すると（ステップ６６でＹＥＳ），内蔵メモリ２２に記憶されているシークレット画像データが読み取られる（ステップ６７）。読み取られた画像データによって表されるシークレット画像が表示画面４０上に表示される（ステップ６８）。
【００４９】
入力したパスワードが，メモリ１９に記憶されているパスワードと一致しないと（ステップ６６でＮＯ），表示画面４０上にはエラー画像が表示される（ステップ６９）。
【００５０】
コピー・モードが設定された場合もシークレット再生モードが設定された場合と同様である。すなわち，コピー・モードが設定されたことに応じて，図７に示すパスワード入力画像が表示画面４０上に表示される。表示にしたがってパスワードが入力される。入力されたパスワードが，メモリ１９に記憶されているパスワードと一致すると内蔵メモリ２２に記憶されている画像データが読み取られ，メモリ・カード２４に記録される。
【図面の簡単な説明】
【図１】ディジタル・スチル・カメラの電気的構成を示すブロック図である。
【図２】パスワード設定処理を示すフローチャートである。
【図３】ディジタル・スチル・カメラの背面図である。
【図４】ディジタル・スチル・カメラの背面図である。
【図５】記録処理を示すフローチャートである。
【図６】再生処理を示すフローチャートである。
【図７】ディジタル・スチル・カメラの背面図である。
【符号の説明】
１  ＣＣＤ
１４  ビデオ・エンコーダ
１５  画像表示装置
１６  ＣＰＵ
１９  メモリ
２１  メディア・コントローラ
２２  内蔵メモリ
２３  メモリ・スロット（外部メモリ・スロット）
２４  メモリ・カード（外部メモリ）
２５  モード・ダイアル
【図１】
2004179709.tif 000003
【図２】
2004179709.tif 000004
【図３】
2004179709.tif 000005
【図４】
2004179709.tif 000006
【図５】
2004179709.tif 000007
【図６】
2004179709.tif 000008
【図７】
2004179709.tif 000009